(57)【要約】【課題】換気装置および空調装置の施工作業をまとめて行うことで、作業効率を向上させた、浴室を提供する。【解決手段】浴室１は、浴室壁１３と、浴室壁１３に設けられるドア部１８と、浴室空間１５と、浴室空間１５内の空気を吸気し外部へ排気する換気装置１６と、を備える。ドア部１８は、ドア枠２と、ドア枠２の内側に設けられるドア本体５０と、を有する。ドア枠２には、ドア部１８を介して浴室空間１５と隣り合う隣室７の空気を吸気し、その吸気した空気を処理し隣室７に給気する空調装置３が設けられることを特徴とする。【選択図】図１
2016148488.tif 000002
【特許請求の範囲】
【請求項１】
浴室壁と、前記浴室壁に設けられるドア部と、浴室空間と、前記浴室空間内の空気を吸気し外部へ排気する換気装置と、を備えた浴室であって、
前記ドア部は、ドア枠と、前記ドア枠の内側に設けられるドア本体と、を有し、
前記ドア枠には、前記ドア部を介して前記浴室空間と隣り合う隣室の空気を吸気し、その吸気した空気を処理し前記隣室に給気する空調装置が設けられることを特徴とする浴室。
【請求項２】
前記空調装置が、前記ドア枠の上枠に設けられることを特徴とする請求項１に記載の浴室。
【請求項３】
前記空調装置が、吸気した空気を加熱する暖房装置を有することを特徴とする請求項１又は請求項２に記載の浴室。
【請求項４】
前記暖房装置を稼働させて暖めた空気を前記隣室に給気する暖房運転を行っているとき、前記換気装置を稼働させないようにする制御部を備えることを特徴とする請求項３に記載の浴室。
【発明の詳細な説明】
【技術分野】
【０００１】
本発明は、浴室に関し、より詳細には、浴室の空調を行う空調装置が設けられた浴室に関する。
【背景技術】
【０００２】
従来、ドア部を介して浴室空間と隣り合う洗面脱衣所に、洗面脱衣所内の空調を行う空調装置が設置されていた（例えば特許文献１参照）。
【先行技術文献】
【特許文献】
【０００３】
【特許文献１】特開２００８−２２４１６０号公報
【発明の概要】
【発明が解決しようとする課題】
【０００４】
特許文献１に記載されている浴室では、その天井部に換気装置が設置される。また、空調装置が洗面脱衣所における浴室とは反対側の壁面に設置されていた。このとき、換気装置は浴室の施工時に設置され、空調装置はその換気装置の施工とは別に洗面脱衣所に設置されていた。
【０００５】
本発明は上記従来の問題点に鑑みて発明したものであって、その目的とするところは、換気装置および空調装置の施工作業をまとめて行うことで、作業効率を向上させた、浴室を提供することを課題とするものである。
【課題を解決するための手段】
【０００６】
上記課題を解決するために、本発明は、以下のような構成とする。
【０００７】
浴室壁と、前記浴室壁に設けられるドア部と、浴室空間と、前記浴室空間内の空気を吸気し外部へ排気する換気装置と、を備えた浴室であって、前記ドア部は、ドア枠と、前記ドア枠の内側に設けられるドア本体と、を有し、前記ドア枠には、前記ドア部を介して前記浴室空間と隣り合う隣室の空気を吸気し、その吸気した空気を処理し前記隣室に給気する空調装置が設けられることを特徴とする。
【発明の効果】
【０００８】
本発明の浴室では、空調装置を浴室のドア枠に設置するので、換気装置を浴室に設置し、空調装置を洗面脱衣所に設置する場合よりも、換気装置および空調装置の施工作業を効率的に行うことができる。
【図面の簡単な説明】
【０００９】
【図１】図１は第１実施形態の浴室において、浴槽とは反対側の壁パネルを取り除いたときの斜視図である。
【図２】図２は第１実施形態の浴室において、空調装置が設置された付近の拡大断面図である。
【図３】図３は第１実施形態の空調装置が、暖房装置としてヒーターを備えた場合の内部の概略断面図である。
【図４】図４は第２実施形態の浴室において、浴槽とは反対側の壁パネルを取り除いたときの斜視図である。
【図５】図５は第２実施形態の浴室において、空調装置が設置された付近の拡大断面図である。
【図６】図６は第３実施形態の浴室において、空調装置が設置された付近の拡大断面図である。
【発明を実施するための形態】
【００１０】
（第１実施形態）
以下、本発明の第１実施形態を図１ないし図３に基づいて説明する。
【００１１】
浴室１は、本実施形態では、図１に示すように、浴槽１１と、浴槽１１に隣接する洗い場１２と、浴室壁１３を備える。なお、浴室１は、浴槽１１を備えないシャワールームであってもよく、その構造は特に限定されない。
【００１２】
浴室壁１３は、本実施形態では、複数の壁パネルで構成される。また、浴室１は、複数の壁パネルの上縁部に接続され、浴室壁１３の上方への開口を閉塞する天井部１４を備える。そして、浴室１は、浴槽１１、洗い場１２、浴室壁１３および天井部１４で囲まれた浴室空間１５を備える。
【００１３】
浴室１には、浴室空間１５を換気するための換気装置１６が天井部１４に設置される。なお、換気装置１６が設置される場所は限定されない。換気装置１６には、浴室空間１５と屋外とを連通する排気ダクト１７が接続される。
【００１４】
換気装置１６は、モーター（図示せず）、モーターに機械的に接続される換気ファン（図示せず）、モーターに電気的に接続させる換気用制御部（図示せず）、等を有する。
【００１５】
換気装置１６は、後述する操作部４とケーブル４３により電気的に接続される。特に、換気装置１６の換気用制御部と操作部４が電気的に接続される。この操作部４を用いて、ユーザーは換気装置１６に所望の動作を行うよう指示を送ることができる。
【００１６】
換気用制御部には、モーター等を制御するためのプログラムを格納したメモリ装置が内蔵される。これにより、換気用制御部は、操作部４の指示を受けて、メモリ装置からプログラムを読み出し、モーター等を制御する。
【００１７】
換気装置１６では、換気用制御部の出力信号によりモーターを稼働させることで換気ファンを回転させる。これにより、換気装置１６は、浴室空間１５内の空気を吸気し、排気ダクト１７を介して屋外へとその空気を排気することで、浴室空間１５を換気する換気運転を行うことができる。
【００１８】
なお、換気装置１６は上記した構成に加えて、浴室空間１５を暖房する暖房機能、浴室１内を乾燥させる乾燥機能、浴室空間１５にミストを噴霧するミスト機能、等といった機能を備えていてもよい。
【００１９】
浴室壁１３には、図１に示すように、浴室１と隣り合う隣室７である洗面脱衣所７０と浴室１とを行き来するためのドア部１８が設けられる。本実施形態の浴室壁１３では、ドア部１８が設置された壁パネルを第１の壁パネル１３１とする。また、第１の壁パネル１３１と対向する壁パネルを第２の壁パネル１３２とする。
【００２０】
ここで、第２の壁パネル１３２から第１の壁パネル１３１に向かう方向を前方向、その反対方向を後方向とする。そして、第２の壁パネル１３２を正面に視て右側を右方向、左側を左方向とする。
【００２１】
以下の記載では、図１に示すように、浴室１のドア部１８が閉じている状態を基準とする。
【００２２】
ドア部１８は、第１の壁パネル１３１の取付け用開口１３３に嵌め込まれるドア枠２と、ドア枠２の内側に設けられるドア本体５０と、を有する。取付け用開口１３３は、本実施形態では、正面視矩形状であり、上下方向を長手方向とし、左右方向を短手方向とするが、その形状は特に限定されない。そして、取付け用開口１３３は、ドア枠２が嵌め込まれる大きさで形成される。
【００２３】
ドア枠２は、上枠２１、下枠２２、左側縦枠２３、右側縦枠２４、から構成され、ドア枠２により出入口が形成される。ドア枠２は、本実施形態では、金属で形成されるが、合成樹脂で形成されてもよく、その材質は限定されない。
【００２４】
下枠２２は、正面視矩形状であり、上下方向を短手方向とし、左右方向を長手方向とする。下枠２２の右側端部には右側縦枠２４が接続され、下枠２２の左側端部には左側縦枠２３が接続される。
【００２５】
右側縦枠２４および左側縦枠２３は、正面視矩形状であり、上下方向を長手方向とし、左右方向を短手方向とする。右側縦枠２４の上端部と左側縦枠２３の上端部には、上枠２１が架け渡される。
【００２６】
上枠２１は、正面視矩形状であり、上下方向を短手方向とし、左右方向を短手方向とする。
【００２７】
ドア枠２には、図１，図２に示すように、洗面脱衣所７０の空気を吸気し、その吸気した空気を処理し洗面脱衣所７０に給気する空調装置３が設けられる。
【００２８】
本実施形態の浴室１では、洗面脱衣所７０内の空気が循環し易いように、ドア枠２の上枠２１に空調装置３が設置される。なお、空調装置３は、左側縦枠２３、右側縦枠２４、下枠２２に設けられてもよく、設置される場所は限定されない。
【００２９】
ここで、空調装置３が上枠２１に設置される場合、天井部１４には、図１，図２に示すように、空調装置３を天井部１４に固定するため、設置開口１４１が形成される。設置開口１４１は、天井部１４において上下方向に貫通して設けられる。設置開口１４１は、上枠２１の上端部に隣接して形成される。
【００３０】
設置開口１４１は、本実施形態では、図１に示すように、空調装置３の上端部の形状と同じ形状で設けられる。また、設置開口１４１は、空調装置３の上端部が嵌り込む程度の大きさを有する。
【００３１】
上枠２１は、図１，図２に示すように、空調装置３に洗面脱衣所７０の空気を流入させるための流入口２１１と、空調装置３で処理した空気を洗面脱衣所７０に流出させるための流出口２１２と、を有する。
【００３２】
流入口２１１および流出口２１２は、上枠２１の前後方向に貫通して形成される。流入口２１１および流出口２１２は、その形状は矩形状となっているが、その形状は限定されない。また、流入口２１１および流出口２１２には、除塵フィルタが取付けられてもよい。
【００３３】
空調装置３は、図３に示すように、ケーシング３１と、ケーシング３１内に設けられる通風路３２と、通風路３２内に配置される送風機３３と、を有する。また、空調装置３は、本実施形態では、マイクロコンピュータで構成され送風機３３に電気的に接続される制御部３４を有する。
【００３４】
ケーシング３１は、本実施形態では、図１に示すように、六面体状に設けられるが、その形状は直方体状であってもよく、ケーシング３１の形状は限定されない。そして、ケーシング３１は、天井部１４の設置開口１４１に嵌め込まれる。そのため、設置開口１４１よりも前後および左右の長さが若干短く形成される。
【００３５】
また、ケーシング３１は、例えば金属で形成されるが、合成樹脂製であってもよく、その材質は限定されない。
【００３６】
ケーシング３１は、図２，図３に示すように、底面部３１１、底面部３１１の左右方向の両端から上方に設けられた一対の側面部３１２、底面部３１１の前端部から上方に設けられた前面部３１３、を有する。また、ケーシング３１は、底面部３１１の後端部から上方に設けられた後面部３１４、底面部３１１と対向する天面部３１５、を有する。
【００３７】
ケーシング３１の天面部３１５の周縁部には、設置開口１４１の周縁部に載置されるためのフランジ部３５が設けられる。
【００３８】
フランジ部３５は、本実施形態では、図１，図２に示すように、天面部３１５の後端部から後方に連設される。そして、フランジ部３５は、図２に示すように、設置開口１４１の後縁部における上端部に載置され、螺子やビス等の固定具６１により空調装置３が天井部１４に固定される。このとき、図１に示すように、上枠２１の後面に接触するケーシング３１の前面部３１３が、上枠２１に取付けられた固定具６１によりドア枠２に固定される。このようにして、空調装置３が、天井部１４および上枠２１に固定される。
【００３９】
ケーシング３１の前面部３１３には、図２，図３に示すように、空調装置３が流入口２１１から吸気するための吸気口３６と、空調装置３が流出口２１２から給気するための給気口３７と、が形成される。本実施形態の浴室１では、吸気口３６が流入口２１１と連通し、給気口３７が流出口２１２と連通する。
【００４０】
通風路３２は、例えば、図３に示すようにＵ字状に設けられることが考えられるが、その形状は特に限定されない。通風路３２は、金属で形成されることが好ましい。通風路３２は、円筒状のダクトを曲げ加工を施すことで形成されてもよいし、角筒状のダクトを曲げ加工を施すことで形成されてもよい。
【００４１】
通風路３２は、その上流側に吸気口３６と連通する上流側開口３２１を有し、その下流側に給気口３７と連通する下流側開口３２２を有する。
【００４２】
送風機３３は、図３に示すように、通風路３２の上流側でありかつ、通風路３２の上流側開口３２１の後方に配置される。送風機３３は、遠心送風機であることが好ましく、例えばシロッコファンであることが考えられる。この場合、送風機３３では、その軸方向の一方側の端部が吸気口３６と向かい合う。
【００４３】
このような送風機３３を空調装置３が有することで、吸気口３６から洗面脱衣所７０の空気を吸気し、その空気を給気口３７から洗面脱衣所７０に給気する送風運転を行うことができる。
【００４４】
また、空調装置３は、図３に示すように、洗面脱衣所７０から吸気した空気を加熱し、暖めた空気を給気することで、洗面脱衣所７０を暖める暖房装置３８を有することが好ましい。暖房装置３８は、制御部３４と電気的に接続される。
【００４５】
暖房装置３８を有することで、空調装置３は、送風運転だけでなく、送風機３３と共に暖房装置３８を稼働させることで暖かい空気を洗面脱衣所７０に給気する暖房運転を行うことができる。
【００４６】
暖房装置３８には、例えばヒーターや、ヒートポンプを用いることが考えられる。
【００４７】
本実施形態の暖房装置３８は、ヒーターにより構成される。
【００４８】
ヒーターは、図３に示すように、送風機３３よりも下流側に配置される。また、ヒーターは、通風路３２の中心線に垂直になるように配置される。ヒーターには、例えばＰＴＣヒーター、シーズヒーター、電熱線ヒーター等が用いられることが考えられる。
【００４９】
暖房装置３８がヒートポンプにより構成される場合、ヒートポンプは、その内部を流れる冷媒の流れる方向を変えることで、通風路３２内に吸気した空気を加熱または冷却することができる。そのため、空調装置３は、暖房だけでなく冷房も行うことができるようになる。
【００５０】
空調装置３は、図１に示すように、換気装置１６と同様に後述する操作部４とケーブル４３により電気的に接続される。特に、空調装置３の制御部３４と操作部４が電気的に接続される。この操作部４を用いて、ユーザーは空調装置３に所望の動作を行うよう指示を送ることができる。
【００５１】
操作部４は、図１に示すように、洗面脱衣所７０に配置される。操作部４は、本実施形態では、洗面脱衣所７０において、浴室１の第１の壁パネル１３１と隣り合う側壁に配置されるが、その配置場所は限定されない。
【００５２】
操作部４は、換気装置１６を操作するための第１指示部４１と、空調装置３を操作するための第２指示部４２と、を有する。
【００５３】
第１指示部４１には、例えば換気装置１６の運転開始・停止を指示する釦、換気装置１６の運転時間を指示する釦、他の機能の運転開始・停止を指示する釦、等が設けられる。また、第１指示部４１には、例えば運転時間、運転状態、等を表示する表示部が設けられる。なお、第１指示部４１は上記した構成に限定されない。
【００５４】
第２指示部４２には、例えば空調装置３の運転開始・停止を指示する釦、空調装置３の運転時間を指示する釦、暖房装置３８の運転開始・停止を指示する釦、暖房装置３８の温度を設定する釦、等が設けられる。また、第２指示部４２には、例えば運転時間、運転状態、設定温度、等を表示する表示部が設けられる。なお、第２指示部４２は上記した構成に限定されない。
【００５５】
空調装置３において、制御部３４が操作部４と電気的に接続される。制御部３４には、送風機３３、暖房装置３８等を制御するためのプログラムを格納したメモリ装置が内蔵される。これにより、制御部３４は、操作部４の指示を受けて、メモリ装置からプログラムを読み出し、送風機３３、暖房装置３８を制御する。
【００５６】
また、制御部３４は、本実施形態では、暖房運転を行っているとき、換気装置１６を稼働させないようにする停止信号を出力する停止手段を有する。停止手段は、制御部３４のメモリ装置にプログラムとして格納される。
【００５７】
これは、洗面脱衣所７０を空調装置３により暖めている最中に、換気装置１６を稼働させると、ドア部１８の隙間を介して洗面脱衣所７０内の暖気が、外部に排気されるという問題があるためである。このような問題を解決するために停止手段が用いられる。
【００５８】
停止手段を有する制御部３４と換気用制御部とが電気的に接続されているため、停止手段が出力する停止信号が換気用制御部に対して出力される。
【００５９】
そして、換気装置１６が停止している場合、換気用制御部では、操作部４から換気運転開始の信号がきても、その操作を無効にする第１のプログラムが、空調装置３の制御部３４からの停止信号により起動する。
【００６０】
換気装置１６が稼働している場合、換気用制御部では、換気運転を停止させた後、操作部４から換気運転開始の信号がきても、その操作を無効にする第２のプログラムが、空調装置３の制御部３４からの停止信号により起動する。
【００６１】
なお、空調装置３の制御部３４および換気装置１６の換気用制御部を設けずに、浴室１内のいずれかの構成に停止手段を有する制御部が設けられてもよい。そして、その制御部は、空調装置３および換気装置１６を制御することができるように構成される。このとき、その制御部において、停止手段が起動する条件を満たすと、上記した第１のプログラムまたは第２のプログラムが起動する構成であってもよい。
【００６２】
このような停止手段を有する制御部を浴室１が備えることで、洗面脱衣所７０を暖めている最中に、ドア部１８の隙間を介して洗面脱衣所７０内の暖気が、換気装置１６の換気運転により外部に排気されることを防止できる。
【００６３】
ドア本体５０は、本実施形態では、図１に示すように、折戸となっているが、開き戸や引き戸であってもよく限定されない。
【００６４】
上記した構成の浴室１では、ドア枠２に空調装置３が設置されるため、浴室１の換気装置１６の施工と空調装置３の施工とをまとめて行うことができる。これにより、換気装置１６を浴室１に設置し、空調装置３を洗面脱衣所７０に設置する場合よりも、施工作業を効率的に行うことができる。
【００６５】
そして、作業者は、換気装置１６が洗面脱衣所７０に設置されかつ、浴室１に空調装置３が設置される場合よりも、操作部４と換気装置１６、操作部４と空調装置３、それぞれをケーブル４３で容易に配線できる。
【００６６】
また、空調装置３がドア枠２に設置されることで、洗面脱衣所７０の壁に孔を開けるといった、施工の痕跡を洗面脱衣所７０の壁に残すことなく、洗面脱衣所７０用の空調装置３を設置できる。
（第２実施形態）
本発明の第２実施形態について図４または図５に基づいて説明する。
【００６７】
第２実施形態の浴室１は、第１実施形態の浴室１の変形例であり、その特徴は浴室１のドア部１８におけるドア枠２Ａの形状に関する。
【００６８】
ここで、第２実施形態において、第１実施形態と共通の構成については同じ符号を付し、その詳細な説明については省略する。
【００６９】
上枠２１Ａは、図４，図５に示すように、上枠本体２２Ａと、上枠本体２２Ａから後方に連設され空調装置３が設置される設置部２３Ａと、設置部２３Ａに空調装置３を挿入するために上枠本体２２Ａに形成される挿入口２４Ａと、を有する。
【００７０】
挿入口２４Ａは、上枠２１Ａの前後方向に貫通して形成される。挿入口２４Ａは、図４に示すように、矩形状となっているが、その形状は限定されない。挿入口２４Ａは、図５に示すように、設置部２３Ａにより形成され空調装置３が挿入される設置空間２５Ａと連通する。
【００７１】
設置部２３Ａは、本実施形態では、上枠本体２２Ａの後面から連設される。
【００７２】
設置部２３Ａは、図４，図５に示すように、底板部２３１Ａと、底板部２３１Ａの左右方向の両端部から起立する一対の側板部２３２Ａと、底板部２３１Ａの後端部から起立する後板部２３３Ａと、を有する。ここで、設置空間２５Ａは、底板部２３１Ａと後板部２３３Ａと一対の側板部２３２Ａとにより形成される。
【００７３】
また、設置部２３Ａでは、図４，図５に示すように、後板部２３３Ａの上端部から設置空間２５Ａとは反対側に、フランジ部２６Ａが延出される。そして、そのフランジ部２６Ａを天井部１４の上端部に載置させ、螺子やビス等の固着具６２で固定することで、設置部２３Ａは天井部１４に固定される。
【００７４】
そして、空調装置３は、図５に示すように、設置部２３Ａの後板部２３３Ａに取付けられる固着具６２により、設置部２３Ａに固定される。
【００７５】
ケーシング３１は、その前面部３１３をドア枠２Ａの前面と面一に設け、ドア枠２Ａとの一体感を有するように設けられることが好ましい。
【００７６】
上記した構成の浴室１では、作業者は、空調装置３を設置する際、まず空調装置３を設置する設置部２３Ａが設けられた上枠２１Ａを天井部１４に固定する。そして、作業者は、設置部２３Ａに空調装置３を挿入し、設置部２３Ａの後板部２３３Ａに固着具６２を取付けることで、空調装置３を上枠２１Ａに固定する。
【００７７】
そのため、第２実施形態においては、第１実施形態のときのように、作業者が空調装置３を支持しながら、天井部１４および上枠２１Ａに固定する必要がない。これにより、作業者が空調装置３の設置作業を容易に行うことができる。
（第３実施形態）
本発明の第３実施形態について図６に基づいて説明する。
【００７８】
第３実施形態の浴室１は、第１実施形態および第２実施形態の浴室１の変形例であり、その特徴は浴室１のドア部１８におけるドア枠２Ｂの構成に関する。
【００７９】
ここで、第３実施形態において、第１実施形態および第２実施形態と共通の構成については同じ符号を付し、その詳細な説明については省略する。
【００８０】
本実施形態のドア枠２Ｂの上枠２１Ｂは、上枠本体２２Ｂと、上枠本体２２Ｂから後方に連設される設置部２３Ｂと、を有する。ここで、上枠本体２２Ｂと設置部２３Ｂは一体に形成される。
【００８１】
上枠本体２２Ｂと設置部２３Ｂとにより形成される設置空間２５Ｂには、制御部３４、通風路３２、送風機３３、が設置される。
【００８２】
また、設置部２３Ｂでは、図６に示すように、後板部２３３Ｂの上端部から設置空間２５Ｂとは反対側に、フランジ部２６Ｂが延出される。そして、設置空間２５Ｂの上方への開口は、上枠本体２２Ｂと設置部２３Ｂの上端部に取付けられる天板部２３４Ｂにより閉塞される。
【００８３】
上枠本体２２Ｂには、通風路３２の上流側開口３２１と連通する流入口２１１Ｂが形成される。そして、上枠本体２２Ｂには、通風路３２の下流側開口３２２と連通する流出口（図示せず）が形成される。
【００８４】
上記した構成の浴室１では、第１実施形態および第２実施形態のときのように、ユーザーの目に付く場所に、固定具６１や固着具６２が取付けられていない。これにより、本実施形態の浴室１では、ドア枠２Ｂの一体感が向上している。
【００８５】
上記した実施形態から、一の形態の浴室１は以下の構成を備える。
【００８６】
浴室１は、浴室壁１３と、浴室壁１３に設けられるドア部１８と、浴室空間１５と、浴室空間１５内の空気を吸気し外部へ排気する換気装置１６と、を備える。ドア部１８は、ドア枠２と、ドア枠２の内側に設けられるドア本体５０と、を有する。ドア枠２には、ドア部１８を介して浴室空間１５と隣り合う隣室７の空気を吸気し、その吸気した空気を処理し隣室７に給気する空調装置３が設けられることを特徴とする。
【００８７】
これにより、換気装置１６を浴室１に設置し、空調装置３を洗面脱衣所７０に設置する場合よりも、施工作業を効率的に行うことができる。
【００８８】
また、浴室１では、空調装置３がドア枠２の上枠２１に設けられることが好ましい。
【００８９】
これにより、浴室１の隣室７の空気の循環が行われ易くなる。
【００９０】
また、空調装置３が、吸気した空気を加熱する暖房装置３８を有することが好ましい。
【００９１】
これにより、隣室７の暖房を行うことができる。
【００９２】
空調装置３は、暖房装置３８を稼働させて暖めた空気を隣室７に給気する暖房運転を行っているとき、換気装置１６を稼働させないようにする制御部３４を備えることが好ましい。
【００９３】
これにより、隣室７を暖めている最中に、換気装置１６の換気運転によりドア部１８の隙間を介して隣室７内の空気が室外に排気されることを防止できる。
【符号の説明】
【００９４】
１    浴室
１３  浴室壁
１５  浴室空間
１６  換気装置
１８  ドア部
２    ドア枠
２１  上枠
３    空調装置
３４  制御部
５０  ドア本体
７    隣室
７０  洗面脱衣所
【図１】
2016148488.tif 000003
【図２】
2016148488.tif 000004
【図３】
2016148488.tif 000005
【図４】
2016148488.tif 000006
【図５】
2016148488.tif 000007
【図６】
2016148488.tif 000008